(57)【要約】【課題】デジタル放送の受信装置に与える影響を小さくしながら、遅延量を小さくする技術を提供する。【解決手段】エネルギー拡散部２６は、データをエネルギー拡散する。第２変換部２８は、エネルギー拡散したデータをビットからバイトへ変換する。バイトインタリーブ部３０は、バイトへ変換させたデータをバイトインタリーブする。制御部５２は、エネルギー拡散部２６をリセットする。制御部５２は、エネルギー拡散部２６の後段において、各階層での遅延時間を送受合わせて同一とするための遅延補正であって、かつバイトインタリーブに伴う遅延補正がなされる場合の遅延量だけ、ＯＦＤＭフレームの先頭からリセットのタイミングを遅らせる。【選択図】図５
2014027399.tif 000002
【特許請求の範囲】
【請求項１】
地上デジタル放送で規定される複数の階層のうちの１つの階層を用いたワンセグメント放送を送信する送信装置に用いられる伝送路符号化装置であって、
ＯＦＤＭフレーム単位で入力したビットデータをエネルギー拡散するエネルギー拡散部と、
前記エネルギー拡散部においてエネルギー拡散したビットデータをバイトデータへ変換する変換部と、
前記バイトデータをバイトインタリーブするバイトインタリーブ部と、
前記エネルギー拡散部をリセットする制御部とを備え、
前記制御部は、リセットのタイミングを、前記エネルギー拡散部の後段において、複数の各階層での遅延時間を送受合わせて同一とするための遅延補正であって、かつバイトインタリーブに伴う遅延補正がなされる場合の遅延量だけＯＦＤＭフレームの先頭から遅らせることを特徴とする伝送路符号化装置。
【請求項２】
前記制御部は、前記１つの階層で採用される伝送パラメータに応じて遅延量を変化させることを特徴とする請求項１に記載の伝送路符号化装置。
【請求項３】
地上デジタル放送で規定される複数の階層のうちの１つの階層を用いたワンセグメント放送を送信する送信装置に用いられる伝送路符号化方法であって、
ＯＦＤＭフレーム単位で入力したビットデータをエネルギー拡散するステップと、
エネルギー拡散したビットデータをバイトデータへ変換するステップと、
前記バイトデータをバイトインタリーブするステップと、
前記エネルギー拡散するステップにおけるエネルギー拡散をリセットするステップとを備え、
前記リセットするステップは、リセットのタイミングを、前記エネルギー拡散するステップの後段において、複数の各階層での遅延時間を送受合わせて同一とするための遅延補正であって、かつバイトインタリーブに伴う遅延補正がなされる場合の遅延量だけＯＦＤＭフレームの先頭から遅らせることを特徴とする伝送路符号化方法。
【発明の詳細な説明】
【技術分野】
【０００１】
本発明は、送信技術に関し、特に所定の信号を送信する送信装置で使用される伝送路符号化装置および伝送路符号化方法に関する。
【背景技術】
【０００２】
ネットワークを使用してデータの送受信を行う場合、ネットワークのトラヒック量によって通信が中断してしまうことがある。これに対応するために、リアルタイム性の高いコンテンツの送受信を行う場合、通信中断によるデータの欠落によってコンテンツが中断してしまうことを回避することを目的としたバッファが、受信側に備えられる。この際、バッファによる遅延が課題となるが、これを解決するためにさまざまな提案がなされている（例えば、特許文献１）。
【先行技術文献】
【特許文献】
【０００３】
【特許文献１】特開２００５−３１８３７８号公報
【発明の概要】
【発明が解決しようとする課題】
【０００４】
通信中断によるデータ欠落を発生させないためには、受信側に備えるバッファの容量を大きくすればよい。しかしながら、バッファの容量を大きくすると、ネットワーク送受信間での遅延も大きくなるので、特にリアルタイム性の高いコンテンツを扱う場合に、遅延に関する要求条件が満たされなくなる。一方、バッファ容量を削減すれば送受信遅延が小さくなるが、ネットワーク中断によるデータ欠落が発生する可能性が高まる。さらに、地上デジタル放送においては、伝送路符号化（ＡＲＩＢ  ＳＴＤ−Ｂ４６）において遅延補正が行われており、遅延量がさらに大きくなる。
【０００５】
本発明はこうした状況に鑑みてなされたものであり、その目的は、デジタル放送の受信装置に与える影響を小さくしながら、遅延量を小さくする技術を提供することである。
【課題を解決するための手段】
【０００６】
上記課題を解決するために、本発明のある態様の伝送路符号化装置は、地上デジタル放送で規定される複数の階層のうちの１つの階層を用いたワンセグメント放送を送信する送信装置に用いられる伝送路符号化装置であって、ＯＦＤＭフレーム単位で入力したビットデータをエネルギー拡散するエネルギー拡散部と、エネルギー拡散部においてエネルギー拡散したビットデータをバイトデータへ変換する変換部と、バイトデータをバイトインタリーブするバイトインタリーブ部と、エネルギー拡散部をリセットする制御部とを備える。制御部は、リセットのタイミングを、エネルギー拡散部の後段において、複数の各階層での遅延時間を送受合わせて同一とするための遅延補正であって、かつバイトインタリーブに伴う遅延補正がなされる場合の遅延量だけＯＦＤＭフレームの先頭から遅らせる。
【０００７】
この態様によると、バイトインタリーブに伴う遅延補正がなされる場合の遅延量だけ、ＯＦＤＭフレームの先頭からリセットのタイミングを遅らせるので、デジタル放送の受信装置に与える影響を小さくしながら、遅延量を小さくできる。
【０００８】
本発明の別の態様は、伝送路符号化方法である。この方法は、地上デジタル放送で規定される複数の階層のうちの１つの階層を用いたワンセグメント放送を送信する送信装置に用いられる伝送路符号化方法であって、ＯＦＤＭフレーム単位で入力したビットデータをエネルギー拡散するステップと、エネルギー拡散したビットデータをバイトデータへ変換するステップと、バイトデータをバイトインタリーブするステップと、エネルギー拡散するステップにおけるエネルギー拡散をリセットするステップとを備える。リセットするステップは、リセットのタイミングを、エネルギー拡散するステップの後段において、複数の各階層での遅延時間を送受合わせて同一とするための遅延補正であって、かつバイトインタリーブに伴う遅延補正がなされる場合の遅延量だけＯＦＤＭフレームの先頭から遅らせる。
【０００９】
なお、以上の構成要素の任意の組合せ、本発明の表現を方法、装置、システム、記録媒体、コンピュータプログラムなどの間で変換したものもまた、本発明の態様として有効である。
【発明の効果】
【００１０】
本発明によれば、デジタル放送の受信装置に与える影響を小さくしながら、遅延量を小さくできる。
【図面の簡単な説明】
【００１１】
【図１】本発明の実施例に係るワンセグメント放送システムの構成を示す図である。
【図２】本発明の実施例に係る伝送路符号化装置の比較対象となる従来の伝送路符号化装置の構成を示す図である。
【図３】図２の遅延補正部におけるバイトインタリーブに伴う遅延補正量を示すテーブルを示す図である。
【図４】図４（ａ）−（ｅ）は、図２の伝送路符号化装置での処理タイミングを示す図である。
【図５】本発明の実施例に係る伝送路符号化装置の構成を示す図である。
【図６】図６（ａ）−（ｄ）は、遅延補正部がない場合の処理タイミングを示す図である。
【図７】図７（ａ）−（ｅ）は、図５の伝送路符号化装置での処理タイミングを示す図である。
【発明を実施するための形態】
【００１２】
本発明を具体的に説明する前に、まず概要を述べる。本発明の実施例は、ワンセグメント放送システムにおける送信装置で使用される伝送路符号化装置に関する。ワンセグメント放送は、地上デジタル放送において使用される複数のセグメントのうちのひとつを使用する。地上デジタル放送では、複数の階層が規定されており、各階層での遅延時間を合わせて同一とするために、階層毎にバイトインタリーブに伴う遅延補正が実行されている。ワンセグメント放送は、この地上デジタル放送の複数の階層のうちのひとつの階層だけを使用して放送されるので、基本的には他の各階層での遅延時間を考慮する必要はなく、遅延補正も必要ない。遅延補正は、所定の遅延量だけデータを遅延させるものであり、遅延補正がなくなることによって遅延時間が短くなる。しかしながら、現在普及しているワンセグメント放送の受信装置におけるタイミング制御は、上記のような遅延補正がなされていることを前提としているので、送信装置側も、これまでは遅延補正を除外することはなされていない。
【００１３】
本実施例では、遅延補正がなされていることを前提としている受信装置でも受信可能でありながら、遅延時間を短くするために次の処理を実行する。本実施例に係る伝送路符号化装置は、バイトインタリーブに伴う遅延補正を除外することによって遅延時間を低減する。また、伝送路符号化装置は、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘ）フレーム先頭位置から伝送パラメータごとに異なる値の遅延量経過後にエネルギー拡散の初期化を実行することによって、遅延補正がなされていることを前提としている受信装置にも信号を受信させることができる。
【００１４】
図１は、本発明の実施例に係るワンセグメント放送システム１００の構成を示す。ワンセグメント放送システム１００は、ワンセグメント放送用送信装置１０、ワンセグメント放送用受信装置１２を含む。ワンセグメント放送用送信装置１０は、更に内部に伝送路符号化装置１１０を含む。
【００１５】
ワンセグメント放送用送信装置１０は、ワンセグメント放送の信号を送信する。なお、ワンセグメント放送用送信装置１０は、ワンセグメント放送に加えて、フルセグメント放送の信号を送信してもよいが、以下ではワンセグメント放送の信号の送信を説明の対象にする。ワンセグメント放送用受信装置１２は、ワンセグメント放送用送信装置１０からの信号を受信する。ワンセグメント放送用受信装置１２は、受信した信号を処理することによって、信号に含まれた番組を再生する。ワンセグメント放送の信号の受信および番組の再生には公知の技術が使用されればよいので、ここでは説明を省略する。
【００１６】
なお、ワンセグメント放送用送信装置１０は、地上デジタル放送のひとつであるワンセグメント放送だけではなく、エリアワンセグメント放送に対応してもよい。エリアワンセグメント放送とは、地上デジタル放送のひとつであるワンセグメント放送を利用し、放送事業者によって使用される送信電力よりも小さい送信電力によって、狭いエリアに限定的にコンテンツデータを送信するサービスである。このようなエリアワンセグメント放送を利用することによって、放送事業者でなくても、所望のコンテンツ配信サービスを実現できる。
【００１７】
図２は、本実施例の伝送路符号化装置１１０の比較対象となる従来の伝送路符号化装置１４０の構成を示した図である。この伝送路符号化装置１４０は、ＡＲＩＢ  ＳＴＤ−Ｂ４６に適合している。この伝送路符号化装置１４０は、ＴＳ再多重器６０、外符号部６２、第１変換部６４、エネルギー拡散部６６、遅延補正部９２、第２変換部６８、バイトインタリーブ部７０、第３変換部７２、符号化部７４、ビットインタリーブ部７６、マッピング部７８、時間インタリーブ部８０、周波数インタリーブ部８２、パイロット信号挿入部８４、制御信号挿入部８６、付加情報挿入部８８、フレーム構成部９０を含む。
【００１８】
ＴＳ再多重器６０は、ｎ個のトランスポートストリームパケット（ＴＳパケット）からなる多重フレームを基本単位として、再多重後のトランスポートストリーム（ＴＳ）を構成する。多重フレームを構成するＴＳパケット数は、伝送モードとガードインターバル比に応じて定められる。多重フレームを構成するＴＳパケットは、１８８バイトに１６バイトのヌルデータを付加した２０４バイトである。これは、伝送ＴＳＰと呼ばれる。ワンセグメント形式の場合には、伝送ＴＳＰに対して、伝送クロックを１．０１５８…ＭＨｚ（ワンセグメント形式のＦＦＴサンプリング周波数）の例えば１／２倍とされる。多重フレームにおける伝送ＴＳＰは、ＯＦＤＭ信号のＸ階層で伝送される（ＴＳＰＸ）か、最終的にＯＦＤＭ信号としては伝送されないヌルパケット（ＴＳＰｎｕｌｌ）のいずれかに属する。なお、Ｘ階層は、Ａ階層、Ｂ階層、Ｃ階層のいずれかである。
【００１９】
外符号部６２は、外符号として、ＴＳパケットごとに短縮化リードソロモン符号（２０４，１８８）を適用する。第１変換部６４は、外符号部６２において外符号が適用されたデータであって、かつＯＦＤＭフレーム単位で入力したデータをバイトからビットへ変換する。エネルギー拡散部６６は、外符号部６２においてビットへ変換させたデータをエネルギー拡散する。エネルギー拡散とは、ＰＲＢＳ（擬似ランダム符号系列）を階層ごとに同期バイトを除く信号とビット単位で排他的論理和を行う処理である。なお、レジスタの初期値は、低次から“１００１０１０１０００００００”とし、ＯＦＤＭフレームごとに初期化される。この際、ＯＦＤＭのフレームの先頭は、伝送ＴＳＰの同期バイトの次のバイトのＭＳＢの位置とされる。また、同期バイト部分においてもシフトレジスタは動作するものとする。ここで、ＰＲＢＳの生成多項式ｇ（ｘ）は次の通りである。
ｇ（ｘ）＝ｘ１５＋ｘ１４＋１
エネルギー拡散処理を施したＴＳパケット、つまりエネルギー拡散させたデータは、遅延補正部９２へ出力される。
【００２０】
遅延補正部９２は、バイトインタリーブに伴う遅延補正を実行する。バイトインタリーブに伴う遅延補正は、各階層での遅延時間を送受合わせて同一とするためになされる。図３は、遅延補正部９２におけるバイトインタリーブに伴う遅延補正量を示すテーブルを示す。ワンセグメント放送の使用セグメント数は「１」であるので、図３においてＮ＝１とすれば、遅延補正量が導出される。このような伝送ＴＳＰ数の遅延が設けられることによって、バイトインタリーブによる送受の遅延量を含めた遅延量が、１フレームとなるような設定がなされる。図２に戻る。バイトインタリーブ遅延補正がなされたデータは、第２変換部６８に出力される。なお、バイトインタリーブ遅延補正は、階層間の遅延を同一にするために使用されるので、ワンセグメント放送のような単一階層放送に対しては不必要な処理といえる。
【００２１】
第２変換部６８は、遅延補正部９２からのデータをビットからバイトへ変換する。バイトインタリーブ部７０は、第２変換部６８においてバイトへ変換させたデータをバイトインタリーブする。つまり、バイトインタリーブ部７０は、ＲＳ符号で誤り保護され、エネルギー拡散された２０４バイトの伝送ＴＳＰに対して、畳込みバイトインタリーブを実行する。インタリーブの深さは１２バイトとする。
【００２２】
第３変換部７２は、バイトインタリーブ部７０においてバイトインタリーブしたデータをバイトからビットへ変換する。符号化部７４は、第３変換部７２においてビットへ変換させたデータを符号化する。ここで、符号化部７４は、内符号として、拘束長ｋ＝７、符号化率１／２を原符号としたパンクチャード畳込み符号を使用する。この原符号の生成多項式は、Ｇ１＝１７１ＯＣＴ、Ｇ２＝１３３ＯＣＴである。なお、パンクチャードのパターンは、フレーム同期でリセットされる。
【００２３】
ビットインタリーブ部７６は、符号化部７４において符号化したデータをビットインタリーブする。これは、伝送路において、変調シンボルに誤りが生じ、連続する複数のビットがバースト誤りとなることを避けるためになされる。ビットインタリーブの長さは、地上デジタル放送と整合を取るため、最大１２０ビットのビットインタリーブが採用される。マッピング部７８は、ビットインタリーブ部７６においてビットインタリーブしたデータをマッピングする。なお、変調方式としては、現在のところ、ＱＰＳＫ、１６ＱＡＭのいずれかが使用される。
【００２４】
時間インタリーブ部８０は、マッピング部７８においてマッピングしたデータを時間インタリーブする。これは、階層合成された信号に対して、変調シンボル単位で時間インタリーブを実行することに相当する。周波数インタリーブ部８２は、時間インタリーブ部８０において時間インタリーブしたデータを周波数インタリーブする。
【００２５】
パイロット信号挿入部８４は、連続キャリアのＣＰ（Ｃｏｎｔｉｎｕａｌ  Ｐｉｌｏｔ）を挿入する。なお、パイロット信号挿入部８４は、ＳＰ（Ｓｃａｔｔｅｒｅｄ  Ｐｉｌｏｔ）を挿入してもよい。制御信号挿入部８６は、制御情報を伝送するための信号であるＴＭＣＣ（Ｔｒａｎｓｍｉｓｓｉｏｎ  ａｎｄ  Ｍｕｌｔｉｐｌｅｘｉｎｇ  Ｃｏｎｆｉｇｕｒａｔｉｏｎ  Ｃｏｎｔｒｏｌ）を挿入する。付加情報挿入部８８は、付加情報を伝送するための拡張用信号であるＡＣ（Ａｕｘｉｌｉａｒｙ  Ｃｈａｎｎｅｌ）を挿入する。フレーム構成部９０は、周波数インタリーブ部８２において周波数インタリーブされたデータ、つまり伝送路符号化のデータ処理がなされたデータセグメントを入力する。フレーム構成部９０は、データセグメントに各種パイロット信号等を付加することによって、最終的なフレームを生成する。
【００２６】
この構成は、ハードウエア的には、任意のコンピュータのＣＰＵ、メモリ、その他のＬＳＩで実現でき、ソフトウエア的にはメモリにロードされたプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００２７】
図４（ａ）−（ｅ）は、従来の伝送路符号化装置１４０での処理タイミングを示す。ここでは、１セグメント方式において、ｍｏｄｅ３、ガードインターバル比１／８を想定しているので、図４（ａ）に示したように、１多重フレームに含まれるＴＳパケット数は、例えば「２８８」になる。また、変調方式ＱＰＳＫ、畳込み符号化の符号化率２／３、ｍｏｄｅ３であると、伝送ＴＳＰは「６４」になる。そのため、図４（ｂ）に示したように、「２８８」のＴＳパケットのうち、有効パケットが「６４」であり、残りがＮＵＬＬパケットになる。図４（ｂ）は、説明を明瞭にするために伝送ＴＳＰを例示しており、実際の伝送ＴＳＰの配置と異なっている。また、１多重フレームに含まれた伝送ＴＳＰの先頭タイミングに、ＯＦＤＭフレーム先頭位置が設定されており、ＯＦＤＭフレーム先頭位置と同一のタイミングに、エネルギー拡散リセット位置が設定されている。
【００２８】
図４（ｃ）は、ＯＦＤＭフレーム同期信号を示す。ＯＦＤＭフレーム同期信号は、１多重フレームの期間に同期する。図４（ｄ）は、バイトインタリーブ遅延補正がなされた伝送ＴＳＰを示す。ここでは、説明を明瞭にするために、バイトインタリーブ遅延補正における遅延量を２ＴＳＰとする。その結果、図４（ｅ）に示すように、エネルギー拡散リセット位置は、ＯＦＤＭフレーム先頭位置から遅延量だけ遅れたタイミングになる。エネルギー拡散リセット位置が、ＯＦＤＭフレーム先頭位置から遅延量だけ遅れていることを前提に、ワンセグメント放送用受信装置１２は、受信処理を実行する。
【００２９】
図５は、本実施例の伝送路符号化装置１１０の構成を示した図である。この伝送路符号化装置１１０は、ＴＳ再多重器２０、外符号部２２、第１変換部２４、エネルギー拡散部２６、第２変換部２８、バイトインタリーブ部３０、第３変換部３２、符号化部３４、ビットインタリーブ部３６、マッピング部３８、時間インタリーブ部４０、周波数インタリーブ部４２、パイロット信号挿入部４４、制御信号挿入部４６、付加情報挿入部４８、フレーム構成部５０、制御部５２を含む。制御部５２は、送信パラメータ取得部５４、初期化タイミング生成部５６を含む。
【００３０】
ＴＳ再多重器２０からフレーム構成部５０までは、図２のＴＳ再多重器６０からフレーム構成部９０と同様の処理を実行する。ここでは、差異を中心に説明する。送信パラメータ取得部５４は、符号化率と変調方式に関する情報を受けつける。送信パラメータ取得部５４は、符号化率と変調方式に関する情報を初期化タイミング生成部５６に出力する。
【００３１】
初期化タイミング生成部５６は、図３に示したテーブルをもとに、遅延量を決定する。つまり、送信パラメータ取得部５４は、符号化部７４における符号化率と、マッピング部７８における変調方式に応じて遅延量を変化させる。初期化タイミング生成部５６は、エネルギー拡散のリセットタイミングをＯＦＤＭフレームの先頭タイミングから遅延量だけ遅らせる。つまり、初期化タイミング生成部５６は、エネルギー拡散部２６の後段において、各階層での遅延時間を送受合わせて同一とするための遅延補正がなされる場合の遅延量だけ、ＯＦＤＭフレームの先頭からリセットのタイミングを遅らせる。初期化タイミング生成部５６は、決定したリセットタイミングにて、エネルギー拡散部２６をリセットする。具体的に説明すると、初期化タイミング生成部５６は、第１変換部２４より入力された信号からＯＦＤＭフレームの先頭位置を検出し、先頭位置からＴＳパケットをカウントし、遅延量に相当するタイミングでエネルギー拡散のリセット信号を生成する。
【００３２】
エネルギー拡散部２６は、初期化タイミング生成部５６からのリセット信号をもとに、エネルギー拡散をリセットする。エネルギー拡散部２６は、エネルギー拡散したデータを第２変換部２８に直接出力する。第２変換部２８は、エネルギー拡散部２６においてエネルギー拡散したデータをビットからバイトへ変換する。
【００３３】
図６（ａ）−（ｄ）は、遅延補正部９２がない場合の処理タイミングを示す。図６（ａ）−（ｂ）は、図４（ａ）−（ｂ）と同一である。図６（ｃ）は、バイトインタリーブ遅延補正が省略された伝送ＴＳＰを示す。図６（ｄ）に示すように、エネルギー拡散リセット位置は、ＯＦＤＭフレーム先頭位置と同じタイミングになる。バイトインタリーブ遅延補正を省略することによって、送信側の遅延量が削減される。そのため、ネットワークとワンセグメント送受信のトータルでの遅延時間を減少させることが可能になる。
【００３４】
しかしながら、「バイトインタリーブ遅延補正の削除」を行ってしまうと、エネルギー拡散リセット位置がずれてしまう。その結果、従来のワンセグメント放送用受信装置１２において受信処理ができなくなる。つまり、エネルギー拡散リセット位置が、ＯＦＤＭフレーム先頭位置から遅延量だけ遅れていることを前提に、ワンセグメント放送用受信装置１２は、受信処理を実行するので、この前提がなくなってしまうことによって受信処理が実行されなくなる。
【００３５】
図７（ａ）−（ｅ）は、伝送路符号化装置１１０での処理タイミングを示す図である。図７（ａ）−（ｃ）は、図４（ａ）−（ｃ）と同一である。図７（ｄ）は、バイトインタリーブ遅延補正が省略された伝送ＴＳＰを示す。これは、図６（ｃ）と同一のタイミングであり、図５（ｄ）よりも遅延量が少なくなっている。しかしながら、エネルギー拡散のリセットタイミングを調節することによって、図７（ｅ）に示すように、エネルギー拡散リセット位置は、ＯＦＤＭフレーム先頭位置から遅延量だけ遅れたタイミングになる。この関係は、図４（ｅ）と同一になるので、ワンセグメント放送用受信装置１２にとって受信処理が可能になる。
【００３６】
本発明の実施例によれば、バイトインタリーブに伴う遅延補正を実行しないので、遅延量を小さくできる。また、バイトインタリーブに伴う遅延補正がなされる場合の遅延量だけ、ＯＦＤＭフレームの先頭からリセットのタイミングを遅らせるので、デジタル放送の受信装置に信号を受信させることができる。また、符号化率と変調方式に応じて遅延量を変化させるので、さまざまな符号化率と変調方式に適用できる。また、ネットワーク中断に対するバッファ容量を確保したうえで、リアルタイムコンテンツ生成から受信端末での受信までのトータルの遅延時間を減少できる。また、ＡＲＩＢ  ＳＴＤ−Ｂ４６のバイトインタリーブ遅延補正を削除しているので該当ブロック実現に要するハードウエアを不要にできる。
【００３７】
以上、本発明を実施例をもとに説明した。この実施例は例示であり、それらの各構成要素や各処理プロセスの組合せにいろいろな変形例が可能なこと、またそうした変形例も本発明の範囲にあることは当業者に理解されるところである。
【符号の説明】
【００３８】
１０  ワンセグメント放送用送信装置、１２  ワンセグメント放送用受信装置、  ２０  ＴＳ再多重器、  ２２  外符号部、  ２４  第１変換部、  ２６  エネルギー拡散部、  ２８  第２変換部、  ３０  バイトインタリーブ部、  ３２  第３変換部、  ３４  符号化部、  ３６  ビットインタリーブ部、  ３８  マッピング部、  ４０  時間インタリーブ部、  ４２  周波数インタリーブ部、  ４４  パイロット信号挿入部、  ４６  制御信号挿入部、  ４８  付加情報挿入部、  ５０  フレーム構成部、  ５２  制御部、  ５４  送信パラメータ取得部、  ５６  初期化タイミング生成部、  １００  ワンセグメント放送システム、  １１０  伝送路符号化装置。
【図１】
2014027399.tif 000003
【図２】
2014027399.tif 000004
【図３】
2014027399.tif 000005
【図４】
2014027399.tif 000006
【図５】
2014027399.tif 000007
【図６】
2014027399.tif 000008
【図７】
2014027399.tif 000009